(57)【要約】      （修正有）【課題】非常時に必要な物を収容し、袋形状の本体部から収容物が出てしまうことを抑制可能な枕型リュックサックを提供する。【解決手段】収容物１６を収容する袋形状の本体部１３と、本体部の底１３Ａが接地されると本体部の上に位置し、かつ、利用者の頭部を支持可能な枕部１４と、を有する、枕型リュックサック１１を構成した。【選択図】図１
0003233147.tif 000002
【実用新案登録請求の範囲】
【請求項１】
収容物を収容する袋形状の本体部と、
前記本体部の底が接地されると前記本体部の上に位置し、かつ、利用者の頭部を支持可能な枕部と、
を有する、枕型リュックサック。
【請求項２】
請求項１記載の枕型リュックサックにおいて、
前記枕部は、クッションを収容するクッション室を有する、枕型リュックサック。
【請求項３】
請求項１または２記載の前記枕型リュックサックと、
前記枕型リュックサックの前記本体部を収容する収容部を有するベッドと、
を備えている寝具。
【請求項４】
請求項３記載の寝具において、
前記収容部は、前記ベッドに設けられた切り欠き部、穴、凹部、窪みの何れかにより構成されている寝具。
【請求項５】
請求項３または４記載の寝具において、
前記枕部は、前記本体部が前記収容部に収容されていると前記ベッドの上面から突出される、寝具。
【考案の詳細な説明】
【技術分野】
【０００１】
本開示は、枕としての機能、及びリュックサックとしての機能を兼備した枕型リュックサック及び寝具に関する。
【背景技術】
【０００２】
枕としての機能、及びリュックサックとしての機能を兼備した枕型リュックサックの一例が、特許文献１に記載されている。特許文献１に記載されている枕型リュックサックは、剛性材料からなり収容物を収容する本体部と、本体部の曲線部を覆い、かつ、発泡材料からなる発泡材料層と、本体部の開口部を覆うカバー部材と、本体部の平面部に取り付けられたショルダーベルトと、を有する。
【０００３】
特許文献１に記載された枕型リュックサックは、本体部の平面部が床面に接するようにして床面の上に置かれる。これにより、ユーザーは枕型リュックサックを枕として使用することができるとされている。
【先行技術文献】
【特許文献】
【０００４】
【特許文献１】実用新案登録第３１２０７８号公報
【考案の概要】
【考案が解決しようとする課題】
【０００５】
本願考案者は、特許文献１に記載された枕型リュックサックにおいては、開口部が収容部の横に設けられているため、カバー部材が開いていると本体部から収容物が出てしまう可能性がある、という課題を認識した。
【０００６】
本開示の目的は、本体部から収容物が出てしまうことを抑制可能な枕型リュックサック及び寝具を提供することにある。
【課題を解決するための手段】
【０００７】
本開示の枕型リュックサックは、収容物を収容する袋形状の本体部と、前記本体部の底が接地されると前記本体部の上に位置し、かつ、利用者の頭部を支持可能な枕部と、を有する。
【０００８】
本開示の寝具は、前記枕型リュックサックと、前記枕型リュックサックの前記本体部を収容する収容部を有するベッドと、を備えている。
【考案の効果】
【０００９】
本開示の枕型リュックサック及び寝具によれば、本体部の底が接地された状態で、本体部から収容物が出てしまうことを抑制可能である。
【図面の簡単な説明】
【００１０】
【図１】（Ａ）は、本開示の寝具を示す斜視図、（Ｂ）は、本開示の枕型リュックサックの縦断面図である。
【図２】（Ａ）は、寝具の平面図、（Ｂ）は、図１（Ａ）の寝具をII−II線に沿って破断した正面断面図、（Ｃ）は、図２（Ｂ）に示す寝具の左側面図である。
【図３】（Ａ）は、ベッドの変更例を示す斜視図、（Ｂ）は、図３（Ａ）のベッドをIII −III 線に沿って破断した正面断面図である。
【図４】（Ａ）は、ベッドの他の変更例を示す斜視図、（Ｂ）は、図４（Ａ）のベッドをIV−IV線に沿って破断した正面断面図である。
【考案を実施するための形態】
【００１１】
本開示の枕型リュックサックは、普段使える枕にリュックサックとしての機能を持たせたものである。また、寝具は、利用者がベッドに横たわった状態で、枕型リュックサックを枕として利用可能である。以下、枕型リュックサック及び寝具の実施形態を図面に基づいて詳細に説明する。なお、枕型リュックサック及び寝具を説明するための全図において、同一部には原則として同一の符号を付し、その繰り返しの説明は省略する。
【００１２】
図１（Ａ），（Ｂ）及び図２（Ａ），（Ｂ），（Ｃ）のように、本開示の寝具１０は、枕型リュックサック１１及びベッド１２を有する。枕型リュックサック１０は、袋形状の本体部１３と、本体部１３に対して開閉可能に接続された枕部１４と、を有する。本体部１３は、ナイロン製、ポリエステル製、合成皮革製等のうちの何れでもよい。本体部１３の外観形状は、略直方体である。本体部１３の収容空間１５には、各種の収容物１６を収容及び取り出し可能である。収容物１６は、一例として、非常時に利用者が家から持ち出すものであり、収容物１６は、飲料水を入れた容器、食料、防寒具、懐中電灯、現金等を含む。
【００１３】
枕部１４は、本体部１３の端部に対してヒンジ１７を介して接続されている。枕部１４及びヒンジ１７は、ナイロン製、ポリエステル製、合成皮革製等のうちの何れでもよい。枕部１４は、ヒンジ１７を撓ませて移動させることが可能である。また、本体部１３の開口端及び枕部１４の端部に亘ってファスナー１８が設けられている。ファスナー１８は、本体部１３及び枕部１４にそれぞれ取り付けられたテープ、テープにそれぞれ取り付けられた複数のエレメント、複数のエレメントに沿って移動可能なスライダ１９を有する公知の構造である。
【００１４】
ファスナー１８のスライダ１９を移動させることにより、枕部１４を本体部１３に対して結合及び分離（離反）させることが可能である。枕部１４が本体部１３から分離されても、枕部１４と本体部１３とが、ヒンジ１７によって部分的に接続されている。ファスナー１８を閉めると、枕部１４が本体部１３に対して結合され、かつ、収容空間１５の開口部２０が閉じられる。ファスナー１８を開いて枕部１４を本体部１３から離反させると、開口部２０が開く。開口部２０は、収容空間１５へつながる。
【００１５】
また、枕部１４は、利用者の頭部を支えるためのものである。枕部１４は、カバー２１、仕切り２２及びクッション室２３を有する。カバー２１及び仕切り２２によりクッション室２３が形成されている。仕切り２２は、枕部１４のクッション室２３と外部とを隔てる。枕部１４により開口部２０が閉じられていると、仕切り２２は、枕部１４のクッション室２３と収容空間１５とを仕切る。クッション室２３は、クッション２５を収容するために設けられている。クッション２５は、高反発ファイバー、高反発ウレタン、低反発ウレタン、そば殻、スポンジ、羽毛等のうちの何れでもよい。本開示では、クッション室２３にクッション２５が収容された状態で、図１（Ｂ）のように、枕型リュックサック１１の縦断面内におけるカバー２１の形状は、略円弧形状である。
【００１６】
図１（Ａ）に示された枕型リュックサック１１の寸法の一例は、次の通りである。本体部１３の高さＬ１は、約０．５ｍであり、本体部１３の奥行きＬ２は、約０．２５ｍであり、本体部１３の幅Ｌ３は、約０．４５ｍであり、枕部１４の高さＬ４は、約０．１ｍである。本体部１３の外面には、ショルダーベルト２６が２本取り付けられている。利用者は、両腕をそれぞれショルダーベルト２６に通して肩に掛けることで、枕型リュックサック１１を背負うことができる。
【００１７】
ベッド１２は、マット２７及び布団２８を有する。マット２７は、床（畳）２９上に敷かれ、布団２８はマット２７の上に重ねられる。マット２７及び布団２８の平面形状は、四角形、具体的には、略長方形である。マット２７は、短辺の一部を切り欠いた、切り欠き部３０を有する。布団２８は、短辺の一部を切り欠いた切り欠き部３１を有する。切り欠き部３０，３１は、寝具１０の平面視で同じ箇所に設けられ、かつ、同じ平面形状を有している。
【００１８】
切り欠き部３０，３１により、収容部３２が形成されている。収容部３２は、枕型リュックサック１０を収容するためのものである。図２（Ａ）のように、収容部３２の平面形状は、枕型リュックサック１０の平面形状と略同じである。図１（Ａ）に示された布団２８の寸法の一例は、次の通りである。布団２８の長辺の寸法Ｌ６は、約２ｍであり、布団２８の短辺の寸法Ｌ７は、約２ｍである。
【００１９】
次に、寝具１０の使用例を説明する。利用者は、布団２８上に横たわる（寝る）前に、図２（Ａ），（Ｂ），（Ｃ）のように、枕型リュックサック１０を収容部３２へ収容する。枕型リュックサック１０が収容部３２へ収容されると、図１（Ｂ）のように、本体部１３の底１３Ａが床２９に接触（接地）する。このように、枕型リュックサック１０が床２９により支持されていると、枕部１４は本体部１３の上に位置する。さらに、ショルダーベルト２６は、収容部３２の外に位置する。その後、利用者３４は、図２（Ａ），（Ｂ），（Ｃ）のように、布団２８上に横たわる。枕部１４は、布団２８の上面３３から突出しているため、布団２８に横たわった利用者３４の頭部３５を枕部１４で支持することができる。枕部１４は、頭部３５の質量で弾性変形する。
【００２０】
そして、非常時（例えば、地震、火災等が発生した緊急時、災害時等）において、利用者３４は布団２８から起き上がる。さらに、枕型リュックサック１０を持ち上げて収容部３２から取り出し、安全な場所へ非難することが可能である。つまり、利用者は、非常時に必要な収容物１６を収容した枕型リュックサック１０を、迅速に、効率的に、かつ、慌てることなく行動することが可能である。
【００２１】
本開示の枕型リュックサック１０は、収容部３２へ収容され、かつ、床２９により支持された状態で、枕部１４が本体部１３の上に位置する。このため、ファスナー１８が開いていたとしても、枕部１４が本体部１３の上に位置していれば、収容物１６が本体部１３の外に出てしまうことを抑制可能である。更に、枕部１４で頭部３５を支えていると、開口部２０が開きにくく、収容物１６が本体部１３の外に出にくい。
【００２２】
（変更例）
ベッド１２の変更例を図３（Ａ），（Ｂ）を参照して説明する。布団２８を厚さ方向に貫通する穴３６が設けられ、マット２７を厚さ方向に貫通する穴３７が設けられている。穴３６，３７は、寝具１０の平面視で同じ位置に設けられ、かつ、同じ形状である。穴３６，３７により、収容部３２が形成されている。収容部３２は、布団２８の短辺及びマット２７の短辺に開口されていない。つまり、布団２８の短辺及びマット２７の短辺に切り欠き部は形成されていない。さらに、収容部３２は、枕型リュックサック１０を収容可能である。
【００２３】
また、ショルダーベルト２６は収容部３２へ収容される。枕型リュックサック１０が収容部３２へ収容されると、本体部１３の底１３Ａが床２９に接地する。つまり、枕型リュックサック１０は、床２９により支持される。さらに、枕部１４は、布団２８の上面３３から突出している。図３（Ａ），（Ｂ）に示す寝具１０は、図１（Ａ），（Ｂ）及び図２（Ａ），（Ｂ），（Ｃ）に示す寝具１０と同様の効果を得ることができる。
【００２４】
ベッド１２の他の変更例を図４（Ａ），（Ｂ）を参照して説明する。布団２８を厚さ方向に貫通する穴３６が設けられ、マット２７に凹部３８が設けられている。凹部３８は、窪み、溝を含む。凹部３８は、マット２７を厚さ方向に貫通していない。穴３６及び凹部３８は、寝具１０の平面視で同じ位置に設けられ、かつ、同じ形状である。穴３６及び凹部３８により、収容部３２が形成されている。収容部３２は、布団２８の短辺及びマット２７の短辺に開口されていない。つまり、布団２８の短辺及びマット２７の短辺に切り欠き部は形成されていない。さらに、収容部３２は、枕型リュックサック１０を収容可能である。
【００２５】
また、ショルダーベルト２６は収容部３２へ収容される。枕型リュックサック１０が収容部３２へ収容されると、本体部１３の底１３Ａが凹部３８の底４０に接触する。つまり、枕型リュックサック１０は、マット２７により支持される。さらに、枕部１４は、布団２８の上面３３から突出する。
【００２６】
図４（Ａ），（Ｂ）に示す枕型リュックサック１０は、本体部１３の高さ方向の寸法が、図１（Ａ）に示された高さＬ１よりも短い。本体部１３の高さ方向の寸法、及び凹部３８の深さは、枕部１４が布団２８の上面３３から突出するように設定されている。図４（Ａ），（Ｂ）に示す寝具１０は、図１（Ａ），（Ｂ）及び図２（Ａ），（Ｂ），（Ｃ）に示す寝具１０と同様の効果を得ることができる。
【００２７】
本実施形態で説明した事項の技術的意味の一例は、次の通りである。寝具１０は、寝具一例である。ベッド１２は、ベッドの一例である。上面３３は、ベッドの上面の一例である。収容部３２は、収容部の一例である。枕型リュックサック１１は、枕型リュックサックの一例である。本体部１３は、本体部の一例である。底１３Ａは、本体部の底の一例である。枕部１４は、枕部の一例である。クッション２５は、クッションの一例である。クッション室２３は、クッション室の一例である。
【００２８】
本実施形態の枕型リュックサック及び寝具は、図面を用いて開示されたものに限定されるものではなく、その要旨を逸脱しない範囲で種々変更可能である。例えば、枕型リュックサック及び寝具の寸法及び形状は、前述した寸法及び形状とは異なっていてもよい。具体的に説明すると、枕型リュックサックの外観形状は、玉子形、円筒形等でもよい。また、ベッドの平面形状は、正方形、円形、楕円形、台形等でもよい。さらに、本体部の底が接地される対象（場所、箇所）は、床、畳、フローリング、フロア、コンクリート、アスファルト、地面、草地、ベッドの一部等の何れでもよい。
【産業上の利用可能性】
【００２９】
本実施形態の枕型リュックサック及び寝具は、利用者が非常時に備えて普段の生活で利用可能である。
【符号の説明】
【００３０】
１０…寝具、１１…枕型リュックサック、１２…ベッド、１３…本体部、１３Ａ…底、１４…枕部、２３…クッション室、２５…クッション、３２…収容部、３３…上面
【図１】
0003233147.tif 000003
【図２】
0003233147.tif 000004
【図３】
0003233147.tif 000005
【図４】
0003233147.tif 000006